(57)【要約】【課題】縫製によって簡易に製造することができる植栽袋を提供する。【解決手段】本発明は、植栽のための土壌が充填される植栽袋１００であって、第１シート材で形成され、本体開口部を有する本体部１１０と、前記本体部１１０の内側に縫いつけられ、前記第１シート材との間に空間を形成する第２シート材と、前記空間に収納される保水材と、前記本体開口部の周縁で一端開口部１４１が縫いつけられるスリーブ部材１４０と、前記スリーブ部材１４０の他端開口部１４２の周縁に設けられる挿通部１４３と、前記挿通部１４３に挿通される糸部材１５０と、からなることを特徴とする。【選択図】  図２
2013059304.tif 000002
【特許請求の範囲】
【請求項１】
植栽のための土壌が充填される植栽袋であって、
第１シート材で形成され、本体開口部を有する本体部と、
前記本体部の内側に縫いつけられ、前記第１シート材との間に空間を形成する第２シート材と、
前記空間に収納される保水材と、
前記本体開口部の周縁で一端開口部が縫いつけられるスリーブ部材と、
前記スリーブ部材の他端開口部の周縁に設けられる挿通部と、
前記挿通部に挿通される糸部材と、からなることを特徴とする植栽袋。
【請求項２】
前記第１シート材が防草シートであることを特徴とする請求項１に記載の植栽袋。
【請求項３】
前記第２シート材が透水シートであることを特徴とする請求項１又は請求項２に記載の植栽袋。
【請求項４】
前記保水材がロックウールであることを特徴とする請求項１乃至請求項３のいずれか１項に記載の植栽袋。
【請求項５】
前記スリーブ部材は前記第１シート材より薄手であり、かつ柔軟性が高い材料により形成されることを特徴とする請求項１乃至請求項４のいずれか１項に記載の植栽袋。
【請求項６】
請求項１乃至請求項５のいずれか１項に記載の植栽袋を収納する開口を有する籠状部材と、
前記籠状部材上方より給水を行う滴下部と、を有することを特徴とする緑化ユニット。
【発明の詳細な説明】
【技術分野】
【０００１】
本発明は、屋外、屋内のいずれの壁面の緑化施工にも好適である植栽袋とそれを用いた緑化ユニットに関する。
【背景技術】
【０００２】
ビルやマンションなどの建物や自動車から出る排熱、アスファルトからの放熱などが大きい都市部では、郊外に比べて気温が高くなるヒートアイランド現象が問題となっている。このようなヒートアイランド現象を緩和する方法として、建物の壁面や屋上を緑化することが考えられている。特に、建物の壁面の緑化については、建物内に伝達する熱を大幅に低減することができることから、近年非常に注目されている。
【０００３】
例えば、建物壁面の緑化においては、植栽がなされた単位ユニットを、壁面に沿って複数配置させることによって、所定面積の壁面の緑化を行うことが提案されている。上記のような単位ユニットを構成するための容器としては、例えば、特許文献１（特開２０１１−１０１６０７号公報）に、植物を植えるための開口部を前面に有する植栽用空間と、その植栽用空間の下部に形成された植栽用水を貯留する貯水部とを有する容器本体を備えた植栽容器が開示されている。
【特許文献１】特開２０１１−１０１６０７号公報
【発明の概要】
【発明が解決しようとする課題】
【０００４】
特許文献１に開示されている植栽容器はプラスチック材料で形成されているものと考えられるが、このような植栽容器を製造しようとすると、金型から起こす必要があり、コストがかかってしまう、という問題がある。
【０００５】
また、特許文献１に開示されている植栽容器では、植栽単位ユニットの大きさは１種類に固定されることとなるので、例えば、植栽単位ユニットの大きさを変えて、緑化施工を行いたい、といった顧客の要望に柔軟に対応することができない、という問題もある。
【０００６】
また、特許文献１に開示されている植栽容器を用いた方法では、植栽床材Ａの一部のみが貯水部１４に浸る構造であるので、植栽床材Ａの中に均等に水を行き渡らせることができず、植物の根の一部が乾燥し枯れるなどの悪影響がある、という問題もある。
【課題を解決するための手段】
【０００７】
上記問題点を解決するために、請求項１に係る発明は、植栽のための土壌が充填される植栽袋であって、第１シート材で形成され、本体開口部を有する本体部と、前記本体部の内側に縫いつけられ、前記第１シート材との間に空間を形成する第２シート材と、前記空間に収納される保水材と、前記本体開口部の周縁で一端開口部が縫いつけられるスリーブ部材と、前記スリーブ部材の他端開口部の周縁に設けられる挿通部と、前記挿通部に挿通される糸部材と、からなることを特徴とする。
【０００８】
また、請求項２に係る発明は、請求項１に記載の植栽袋において、前記第１シート材が防草シートであることを特徴とする。
【０００９】
また、請求項３に係る発明は、請求項１又は請求項２に記載の植栽袋において、前記第２シート材が透水シートであることを特徴とする。
【００１０】
また、請求項４に係る発明は、請求項１乃至請求項３のいずれか１項に記載の植栽袋において、前記保水材がロックウールであることを特徴とする。
【００１１】
また、請求項５に係る発明は、請求項１乃至請求項４のいずれか１項に記載の植栽袋において、前記スリーブ部材は前記第１シート材より薄手であり、かつ柔軟性が高い材料により形成されることを特徴とする。
【００１２】
また、請求項６に係る発明は、請求項１乃至請求項５のいずれか１項に記載の植栽袋を収納する開口を有する籠状部材と、前記籠状部材上方より給水を行う滴下部と、を有することを特徴とする緑化ユニットである。
【発明の効果】
【００１３】
本発明で用いる植栽単位ユニットである植栽袋は、第１シート材などを縫製することによって製造することができ、プラスチック材料を成型するための金型などが不要であるので、本発明に係る植栽袋及び緑化ユニットによれば、コストを要することなく安価に壁面緑化を行うことが可能となると共に、バリエーションが異なる植栽袋を製造し、顧客の要望に柔軟に対応することが可能となる。
【００１４】
また、本発明で用いる植栽袋は、第１シート材と第２シート材と間の空間に収納される保水材により、植栽袋に植栽される植物の根全体に水を均等に行き渡らせることができるので、本発明に係る植栽袋及び緑化ユニットによれば、比較的乾燥に強い緑化壁面を構築することが可能となる。
【図面の簡単な説明】
【００１５】
【図１】本発明の実施形態に係る植栽袋１００を構成する本体部１１０の構造を説明する図である。
【図２】本発明の実施形態に係る植栽袋１００の構成を説明する図である。
【図３】本発明の実施形態に係る植栽袋１００の利用方法を説明する図である。
【図４】本発明の実施形態に係る緑化ユニット２００の構成を説明する図である。
【図５】本発明の実施形態に係る緑化ユニット２００の利用方法を説明する図である。
【発明を実施するための形態】
【００１６】
以下、本発明の実施の形態を図面を参照しつつ説明する。図１は本発明の実施形態に係る植栽袋１００を構成する本体部１１０の構造を説明する図であり、図１（Ａ）は本体部１１０の斜視図であり、図１（Ｂ）は本体部１１０をＸ−Ｘ’で切って見たときの断面を示す図である。
【００１７】
植栽袋１００の本体部１１０は、植栽用の土壌と、植栽袋１００に植栽する植物の根が収納されることを想定したものであり、底面部１１１と外周部１１２とからなり、底面と対向する箇所には開口部１１５が設けられている。
【００１８】
このような植栽袋１００の本体部１１０を形成するために用いる袋地（第１シート材）としては、通気性、透水性がある不織布或いは織布などの材料であればどのようなものを用いても構わないが、袋地（第１シート材）として、特に、耐候性を有する防草シート（例えば、ポリエステルのスパンボンドに難燃材をコーティングしたもの。谷口産業株式会社製「プロフィット」など）を用いることが好適である。これは、例えば、植栽袋１００を利用して、屋外における壁面緑化施工を行うような場合を考えると、施工後、ある程度の期間、屋外環境に曝され続けることとなるからである。
【００１９】
植栽袋１００の本体部１１０は、上記のような袋地（第１シート材）を用いて、縫製により造形されるようになっている。なお、本実施形態では、植栽袋１００の本体部１１０の形状として、略円柱状のものを例に挙げ説明しているが、これに限らず、植栽袋１００の本体部１１０は、例えば、略四角柱状のものを用いることなどもできる。
【００２０】
上記のような袋地（第１シート材）で縫製により形成されている本体部１１０の内周部１１３には、第２シート材１２０が縫いつけられており、さらに、本体部１１０の袋地（第１シート材）と第２シート材１２０との間に空間が形成されるようになっている。この空間には保水材１３０を充填することにより、この保水材１３０で、本体部１１０内に収容される土壌と植物の根を適正に保水することが可能となる。
【００２１】
保水材１３０としては、水を吸水し、吸水した水を土壌側に移行させて、土壌を適度に湿らせることが可能であるスポンジ、綿などの材料であれば、どのようなものを用いても構わないが、特に、本実施形態に係る植栽袋１００に用いる保水材１３０としては、ロックウールが好適である。
【００２２】
第２シート材１２０として用いる生地としては、透水性を有するものであれば、どのようなものを用いても構わないので、例えば、本体部１１０の袋地（第１シート材）と同様のものを用いてもよい。ただ、第２シート材１２０は植栽袋１００内部に用いられるものであり、第２シート材１２０には耐候性までの性能は必要とはならない。したがって、第２シート材１２０としては、袋地（第１シート材）に用いたような防草シートを用いるとコスト的に不利となるので、透水シートなどを用いる方がよい。例えば、第２シート材１２０として用いる透水シートとしては、旭化成せんい株式会社のエステルスパンボンド不織布、エルタスエステル  Ｅ５０７０（商品名）を透水加工処理したものを用いると好適である。
【００２３】
以上のように構成される本体部１１０の開口部１１５には、スリーブ部材１４０が取り付けられ、本実施形態に係る植栽袋１００とされる。図２は本発明の実施形態に係る植栽袋１００の構成を説明する図である。図２（Ａ）は開口状態の植栽袋１００の斜視図であり、図２（Ｂ）は封口状態の植栽袋１００の斜視図である。
【００２４】
スリーブ部材１４０は一端開口部１４１と他端開口部１４２の２つの開口部を有しており、本体部１１０の開口部１１５の周縁において、スリーブ部材１４０の一端開口部１４１の周回が隙間なく縫いつけられることで、本体部１１０からスリーブ部材１４０が連続するように形成される。
【００２５】
スリーブ部材１４０の他端開口部１４２には、２つの切り込み部１４５が設けられた挿通部１４３が形成されている。これは、円筒状の布であるスリーブ部材１４０の他端の開口を折り返して周回状に縫いつけることで、形成することができる。また、切り込み部１４５から、挿通部１４３に糸部材１５０を挿通し、糸部材１５０の端部同士を結束することで、スリーブ部材１４０の他端開口部１４２は、一般的な巾着構造となる。この糸部材１５０としては、耐候性の高いものを採用することが好ましく、例えば、カナガワ株式会社により提供される、テイジンポリエステルよりなる産業用ミシン糸、＃0（型番）を用
いると良い。
【００２６】
また、スリーブ部材１４０に用いる生地材料としては、袋地（第１シート材）より薄手であり、かつ柔軟性が高い材料であることが好ましい。これにより、本体部１１０側の型くずれを起こすことなく、図２（Ｂ）に示すように、糸部材１５０を挿通部１４３から引き出し、スリーブ部材１４０の他端開口部１４２を封口状態とすることができる。また、スリーブ部材１４０に用いる生地材料としては、耐候性を有するものであることが好まし
い。以上のようなスリーブ部材１４０に用いるための要件を満たす生地としては、例えば、株式会社 エルトップにより提供される、旭化成ポリエステル、高密度タフタ  ＫＥ８
３０２Ｗ（商品名）などを用いることができる。
【００２７】
以上のように構成される本発明の実施形態に係る植栽袋１００の利用方法を、図３を参照して説明する。図３（Ａ）は植栽袋１００への植栽手順を示しており、図３（Ｂ）は植物Ｐが植栽された植栽袋１００を示している。
【００２８】
例えば、植栽袋１００に植栽する際には、植栽用の土壌Ｓとして、ピートモス、バーミキュライト、パーライト、有機堆肥、真砂土、燻炭、作土などを配合したものを利用する。このような植栽用土壌Ｓを他端開口部１４２から適量植栽袋１００に詰めた後、次に、図３（Ａ）に示すように植物Ｐの苗などを、他端開口部１４２から移植する。そして、図３（Ｂ）に示すように、糸部材１５０を挿通部１４３から引き出し、スリーブ部材１４０の他端開口部１４２を封口状態とすることで、植栽袋１００への植物Ｐの植栽が完了する。
【００２９】
次に、以上のように植物Ｐが植栽された植栽袋１００を載置するための緑化ユニット２００について説明する。図４は本発明の実施形態に係る緑化ユニット２００の構成を説明する図であり、図５は本発明の実施形態に係る緑化ユニット２００の利用方法を説明する図である。
【００３０】
緑化ユニット２００には、植物Ｐが植栽された植栽袋１００を収納する開口２２１を有する籠状部材２２０が複数配されている。図４では、このような籠状部材２２０を４×４のマトリクス状に配したものを示しているが、緑化ユニット２００に用いる籠状部材２２０の数や、緑化ユニット２００における籠状部材２２０の配列方法に特に限定があるわけではない。
【００３１】
上記籠状部材２２０には、水はけのためにメッシュが設けられた部材が用いられる。このような籠状部材２２０には、例えば、汎用のあんきょ排水管を所定の長さに切りそろえたものなどを利用することができる。このようなあんきょ排水管を用いることで、コストをかけずに壁面緑化を行うことが可能となる。
【００３２】
給水管２３０は不図示の灌水装置などから水を緑化ユニット２００に供給する。この給水管２３０は、図示するように、主流部２３１から４つの分流部２３２に枝分かれする構成とされ、各分流部２３２においては、籠状部材２２０上方より給水を行う滴下部２４０が、籠状部材２２０と一対一で対応するように設けられている。
【００３３】
緑化ユニット２００のフレーム部材２１０は、籠状部材２２０や給水管２３０などを固定しておくためのものであり、任意の構成を採用し得る。ここで、図４に示すように、フレーム部材２１０は、籠状部材２２０の開口面が、必ず、水平方向より鉛直上方を向いているように、籠状部材２２０を固定するようにしている。このように籠状部材２２０は水平方向に対して角度をもって配されているので、籠状部材２２０が、植栽された植栽袋１００を収納し、さらに滴下部２４０から水が滴下されたときには、概略、図５のＦに示すような流れで水が流れていくので、植物Ｐの根全体に水を均等に行き渡らせることができる。
【００３４】
上記のように構成される緑化ユニット２００の籠状部材２２０には、図５に示すように、植栽された植栽袋１００が収納されることで、屋内や屋外の壁面緑化に資することが可能となる。ここで、植栽袋１００の直径Ｒ（図１（Ａ）参照）と、籠状部材２２０の直径ｒ（図４参照）とはほぼ同様とされているため、籠状部材２２０に収納された植栽袋１０
０は、その外周部１１２が籠状部材２２０の内周に内嵌されるような状態となるので、時の経過により移動したりするようなことはない。
【００３５】
以上のように、本発明で用いる植栽単位ユニットである植栽袋１００は、袋地である第１シート材を縫製することによって製造することができ、プラスチック材料を成型するための金型などが不要であるので、本発明に係る植栽袋１００及び緑化ユニット２００によれば、コストを要することなく安価に壁面緑化を行うことが可能となると共に、バリエーションが異なる植栽袋１００を製造し、顧客の要望に柔軟に対応することが可能となる。
【００３６】
また、本発明で用いる植栽袋１００は、本体部１１０の第１シート材と第２シート材１２０と間の空間に収納される保水材１３０により、植栽袋に植栽される植物の根全体に水を均等に行き渡らせることができるので、本発明に係る植栽袋１００及び緑化ユニット２００によれば、比較的乾燥に強い緑化壁面を構築することが可能となる。
【００３７】
また、植栽袋１００に植物Ｐが収容され、植栽袋１００の他端開口部１４２が封口されると、植栽袋１００の中の土壌は、植栽袋１００からほとんどこぼれ出ることがない。したがって、本発明に係る植栽袋１００は屋内での使用にも好適であり、屋内の壁面緑化にも利用することが容易である。
【符号の説明】
【００３８】
１００・・・植栽袋
１１０・・・本体部
１１１・・・底面部
１１２・・・外周部
１１３・・・内周部
１１５・・・開口部
１２０・・・第２シート材
１３０・・・保水材
１４０・・・スリーブ部材
１４１・・・一端開口部
１４２・・・他端開口部
１４３・・・挿通部
１４５・・・切り込み部
１５０・・・糸部材
２００・・・緑化ユニット
２１０・・・フレーム部材
２２０・・・籠状部材
２２１・・・開口
２３０・・・給水管
２３１・・・主流部
２３２・・・分流部
２４０・・・滴下部
【図１】
2013059304.tif 000003
【図２】
2013059304.tif 000004
【図３】
2013059304.tif 000005
【図４】
2013059304.tif 000006
【図５】
2013059304.tif 000007